(57)【要約】【課題】少ない数の光源により、長い範囲にわたって一様に光らせることができる反射体を提供する。【解決手段】軸方向に光路（１５）が確保されている所定長さの透明なアクリル樹脂製の角柱体（１０）から構成し、その両端部（１１、１７）からＬＥＤランプの光線が入射されるようにする。角柱体（１０）の外周面の一部（１１）には、側面形状が略鋸歯形状を呈する斜面からなる複数個のギザギザ（３、３、…）を、軸方向にわたって、入射される光線を横切る方向に形成する。【選択図】　図５
2004109391.tif 000002
【特許請求の範囲】
【請求項１】
軸方向に光路が確保されている所定長さの透明な棒状体からなり、その端部から光線が入射されるようになっている反射体であって、
前記棒状体の外周面の一部には、側面形状が略鋸歯形状を呈する斜面からなる複数個のギザギザが、軸方向にわたって、入射される光線を横切る方向に形成されていることを特徴とする反射体。
【請求項２】
軸方向に光路が確保されている所定長さの透明な４個の面からなる四角棒状体からなり、その端部から光線が入射されるようになっている反射体であって、
前記四角棒状体の外周の一面には、側面形状が略鋸歯形状を呈する斜面からなる複数個のギザギザが、軸方向にわたって、入射される光線を横切る方向に形成されていることを特徴とする反射体。
【請求項３】
軸方向に光路が確保されている所定長さの透明な５個以上の面からなる角棒状体からなり、その端部から光線が入射されるようになっている反射体であって、
前記角棒状体の外周の所定の面には、側面形状が略鋸歯形状を呈する斜面からなる複数個のギザギザが、軸方向にわたって、入射される光線を横切る方向に形成されていることを特徴とする反射体。
【請求項４】
請求項１〜３のいずれかの項に記載の棒状体は、光線が入射される端部から遠ざかるにしたがい順次縮経あるいは薄くなっていることを特徴とする反射体。
【請求項５】
請求項１〜４のいずれかの項に記載の棒状体に形成されているギザギザは光線が入射される端部から遠ざかるにしたがい順次深くなっていることを特徴とする反射体。
【請求項６】
厚さ方向に光路が確保されている所定厚さの透明な板状体からなり、その円周方向に略９０°の間隔をおいた２カ所の側部から光線が入射されるようになっている反射体であって、
前記板状体の一面には、側面形状が略鋸歯形状を呈する斜面からなる複数個のギザギザが、全面にわたって、入射される光線を横切る方向に形成されていることを特徴とする反射体。
【請求項７】
厚さ方向に光路が確保されている所定厚さの透明な円盤状体からなり、その円周方向に略９０°の間隔をおいた２カ所の側部から光線が入射されるようになっている反射体であって、
前記板状体の一面には、側面形状が略鋸歯形状を呈する斜面からなる複数個のギザギザが、全面にわたって、入射される光線を横切る方向に形成されていることを特徴とする反射体。
【請求項８】
請求項６または７に記載の反射体の側部は、光線が入射される部分以外は反射面が形成、あるいは反射材で覆われるようになっていることを特徴とする反射体。
【請求項９】
請求項１〜８のいずれかの項に記載の反射体は、透明なアクリル樹脂からなり、そのギザギザはプレスにより形成されていることを特徴とする反射体。
【請求項１０】
請求項１〜９のいずれかの項に記載の反射体には、発光ダイオードが発する光線が入射されるようになっていることを特徴とする反射体。
【発明の詳細な説明】
【０００１】
【発明の属する技術分野】
本発明は、透明な棒状体の端部あるいは透明な平板状体の側部に入射される光線が軸方向の所定長さにわたって、あるいは所定面積にわたって均一に分散されて、前記棒状体あるいは平板状体から外部へ出るにようになっている反射体に関するものである。限定するものではないが、特に光源に発光ダイオードを適用して好適な反射体に関するものである。
【０００２】
【従来の技術】
従来周知のように、表示体あるいは反射体には一般に光源が使用されている。そして、その光源には発光ダイオードすなわちＬＥＤランプも適用されている。ＬＥＤランプには、赤色、青色、黄色等の色々な色を発するものがあり、これらは比較的安価に提供されているので、これらのＬＥＤランプを適宜選択し、そして例えばパソコンに直接的に取り付けることにより、パソコンが起動中あるいは休止中であることを表示することが行われている。また、光フアイバーを適用することにより、光源から離れた箇所においても表示されている。さらには、光が乱反射あるいは分散する磨りガラスの向こう側に光源を配置し、磨りガラスにより光を分散あるいは乱反射させて、比較的広い範囲を照らすことも行われている。
【０００３】
【発明が解決しようとする課題】
上記のように、従来の表示法によってもＬＥＤランプにより直接表示することもできるし、また光フアイバー等の光路を適用することにより比較的離れた箇所においても表示することはできる。特に、複数個のＬＥＤランプを所定間隔に配置することにより、あるいは磨りガラスを適用することにより比較的長いあるいは広い範囲にわたって表示することもできる。
しかしながら、複数個の光源を使用すると、光源の配置レイアウトに制限を受けるようになり、コスト高になる欠点がある。また、光源の数が多くなると、管理も面倒になる。これに対し、磨りガラスにより表示するときは、光源の数は少なくて済む利点は認められるし、光源の数が少ないので管理の問題は小さいといえる。しかしながら、光源に近い箇所と遠い箇所との間に輝度にムラがあり、また磨りガラスにより光が吸収され、輝度が落ちる欠点もある。
【０００４】
本発明は、上記したような従来の問題点あるいは欠点を解消した表示体すなわち反射体を提供することを目的とし、具体的には少ない数の光源により、長い範囲あるいは広範囲にわたって一様に光らせることができる反射体を提供することを目的としている。また、他の発明は、上記目的に加えて安価に製造できる反射体を提供することを目的としている。
【０００５】
【課題を解決するための手段】
本発明は、上記目的を達成するために、すなわち入射される光を広範囲に一様に光らせるために所定長さの光路が確保されている透明体が適用される。この光路に入射される光線あるいは光りは、遠方まで達することになる。また、遠方に達しようとする光線を、その途中で捕らえ、そして透明体の外部へ導き出すように構成される。すなわち、透明体の一部に、入射される光線を横切る方向に、複数個の斜面からなるギザギザが形成される。
【０００６】
以下、本発明が採用する手段をさらに詳しく説明する。図１において参照数字３０は、透明なアクリル樹脂あるいはガラスからなる所定長さの柱状の透明体を示しているが、この透明体３０の端部３１から例えば指向特性が１５°、３０°あるいは４５°のＬＥＤランプから発せられる光線あるいは光が入射されると、光は透明体３０中を矢印で示されている方向に進む。このとき、透明体３０の空気に対する屈折率は１よりも大きいので、透明体３０と空気との境界面では全反射する。これにより、入射される光は透明体３０から外部へは出ない。したがって、透明体３０中の光は外周部からは見えない。かくして、入射された光は、遠方まで達することになる。
【０００７】
ところで、例えば角柱状の透明体４０の表面に、図２に示されているように、光の進行方向に略直角の斜面４３が形成されていると、透明体４０中をランダムに進行する一部の光Ｈは、点Ｐにおいて入射角ｉで斜面４３に入射する。そうすると、反射角ｒで反射して斜面４３に対向した他方の面４４に達する。反射した光の、他方の面４４に対する入射角は大きいので、この他方の面４４では全反射することなく外部へ出る。これにより、斜面４３に対向した他方の面４４からは光が見えることになる。このような斜面４３が軸方向に多数形成されていると、他方の面４４は軸方向の全長にわたって「輝いて、あるいは光って」見えることになる。すなわち、他方の面４４は、輝面となる。
【０００８】
上記説明からも理解されるように、透明体４０に入射される光が斜面４３で反射されるので、他方の面４４が輝いて見えるが、入射される光の一部は屈折して透明体４０の外部へ出る。この屈折による「漏れ」を防ぐために、必要に応じて斜面４３にアルミニウム等で蒸着することもできる。
【０００９】
上記のようにして、透明体４０に入射される光の一部は、斜面４３、４３、…により、順次外部へ導き出されるが、残った光は他方の端部４２に達する。他方の端部４２が反射面になっていると、反射光は透明体４０中を逆方向に進むことになる。そこで、斜面４３、４３、…と同じような逆方向に傾斜した他方の斜面４３’、４３’、…を連続して複数個あるいは多数形成しておくことにより、反射光も見えるようになる。本発明は、望ましくは光源は他端部４２側にも配置される。したがって、逆方向の他方の斜面４３’、４３’、…も形成される。
【００１０】
なお、点Ｐにおいて斜面４３に入射角ｉで入射した光の一部は、点線で示されているように一部は屈折して透明体４０から外部へ出る。そして、点Ｐ’において他方の斜面４３’に再び入射する。点Ｐ’において、一部は反射して空気中へ出る。このようにして外部へ出た光の量は少ないので、薄く光ることになる。残りの光は、屈折して透明体４０へ再び入る。そして、前述したようにして透明体４０中をランダムに進み、透明体４０の他の面すなわち輝面４４から外部へ導き出されることになる。
【００１１】
上記の説明からも明らかなように、入射された光は、透明体４０中を進むにつれて、斜面４３、４３、…により外部へ導き出されるので、光量は順次減り、透明体４０中の光の密度は小さくなる。そこで、本発明では、光の密度を一定に保つために、光源から遠ざかるにしたがい透明体４０の断面積が小さくなるように構成される。また、光の密度が小さくなるので、斜面４３を大きくして、外部へ導き出す光量が一定になるように構成される。
【００１２】
本発明に係わる反射体は、望ましくは透明なアクリル樹脂から形成される。アクリル樹脂は、ギザギザを付けるプレス加工がしやすいという利点があるからである。しかも、アクリル樹脂は、比較的安価で、かつ軽量で取り扱いに便利である。しかしながら、他の樹脂材料、例えば透明度のあるポリカーポネート（ＰＣ）、同様に透明な塩化ビニル樹脂（ＰＶＣ）等からも形成することができる。また、コスト的には多少劣るがガラスから構成することもできる。このときは、一面に多数の凹凸が形成されているガラス板と同じような製造方法により製造される。
【００１３】
このようにして、請求項１に記載の発明は、本発明の目的を達成するために、軸方向に光路が確保されている所定長さの透明な棒状体からなり、その端部から光線が入射されるようになっている反射体であって、前記棒状体の外周面の一部には、側面形状が略鋸歯形状を呈する斜面からなる複数個のギザギザが、軸方向にわたって、入射される光線を横切る方向に形成されている。
請求項２に記載の発明は、軸方向に光路が確保されている所定長さの透明な４個の面からなる四角棒状体からなり、その端部から光線が入射されるようになっている反射体であって、前記四角棒状体の外周の一面には、側面形状が略鋸歯形状を呈する斜面からなる複数個のギザギザが、軸方向にわたって、入射される光線を横切る方向に形成されている。
請求項３に記載の発明は、軸方向に光路が確保されている所定長さの透明な５個以上の面からなる角棒状体からなり、その端部から光線が入射されるようになっている反射体であって、前記角棒状体の外周の所定の面には、側面形状が略鋸歯形状を呈する斜面からなる複数個のギザギザが、軸方向にわたって、入射される光線を横切る方向に形成されている。請求項４に記載の発明は、請求項１〜３のいずれかの項に記載の棒状体は、光線が入射される端部から遠ざかるにしたがい順次縮経あるいは薄くなるように構成されている。請求項５に記載の発明は、請求項１〜４のいずれかの項に記載の棒状体に形成されているギザギザは光線が入射される端部から遠ざかるにしたがい順次深くなっている。請求項６に記載の発明は、厚さ方向に光路が確保されている所定厚さの透明な板状体からなり、その円周方向に略９０°の間隔をおいた２カ所の側部から光線が入射されるようになっている反射体であって、前記板状体の一面には、側面形状が略鋸歯形状を呈する斜面からなる複数個のギザギザが、全面にわたって、入射される光線を横切る方向に形成されている。請求項７に記載の発明は、厚さ方向に光路が確保されている所定厚さの透明な円盤状体からなり、その円周方向に略９０°の間隔をおいた２カ所の側部から光線が入射されるようになっている反射体であって、前記板状体の一面には、側面形状が略鋸歯形状を呈する斜面からなる複数個のギザギザが、全面にわたって、入射される光線を横切る方向に形成されている。請求項８に記載の発明は、請求項６または７に記載の反射体の側部は、光線が入射される部分以外は反射面が形成、あるいは反射材で覆われるようになっている。請求項９に記載の発明は、請求項１〜８のいずれかの項に記載の反射体は、透明なアクリル樹脂からなり、そのギザギザはプレスにより形成されている。そして、請求項１０に記載の発明は、請求項１〜９のいずれかの項に記載の反射体には、発光ダイオードが発する光線が入射されるように構成されている。
【００１４】
【発明の実施の形態】
以下、図３〜６により本発明の実施の形態を説明する。図３に示されている第１の実施の形態によると、反射体１は、実質的に透明なアクリル樹脂から所定径の円柱状に形成されている。そして、その外周面の一部に軸方向にわたって多数の斜面２、２’、…あるいは連続した山と谷からなる鋸歯形状を呈するギザギザ３、３、…が複数個入れられている。これらのギザギザ３、３、…は、光の進行方向に対して略直角になるように形成されている。そして、ギザギザ３、３、…が形成されていない軸部が光路４となっている。このように構成されている反射体１の一端部５に、ＬＥＤランプが配置され、他端部は反射面５’形成されている。したがって、本実施の形態によると、ＬＥＤランプから光路４に入射される光は、ギザギザ３、３、…が形成されていない残りの外周部６から外部に出ることになり、その外周部６が軸方向の全長にわたって一様に光って見える。
【００１５】
本実施の形態に係わる反射体１は、図には示されていないが、断面が樋状を呈する下型と、同様に断面が樋状を呈しその内周面に連続した山と谷からなるギザギザが形成されている上型とを使用して、アクリル樹脂からプレスにより成形さ
れる。
【００１６】
図４に、本発明の第２の実施の形態が示されている。第１の実施の形態に係わる反射体１の構成要素と同じ要素には、同じ参照数字あるいは同じ参照数字にダッシュ「’」を付けて重複説明はしないが、本実施の形態によると、実質的に透明な棒状体すなわち反射体７は、一方の端部から他端部に向かって順次縮経されている。つまり、断面積の広い一方の端部５に配置されるＬＥＤランプから遠のくにしたがい、順次縮経されている。そして、その外周面の一部に、軸方向にわたって多数の斜面２、２’、…あるいは連続した山と谷からなる、側面形状が略鋸歯形状をした複数個のギザギザ３’、３’、…が入れられている。このように、本実施の形態によると、光は一方の端部５からのみ入射されるので、一方の斜面のみが反射面２、２、…となり、他方の斜面２’、２’、…は反射には寄与しない。本実施の形態によると、光源は一方の端部のみに配置され、他方の端部には反射材も設けられていないが、光路４’が順次小さくなっているので、斜面２、２、…により外部へ導き出される光量は、軸方向において略等しく、均一に輝くことになる。
【００１７】
図５に、本発明の第３の実施の形態が示されている。上記第１、２の実施の形態では、反射体１、７は円柱状に形成されているが、本実施の形態による反射体１０は、第１〜４の面１１〜１４からなる４角柱の透明体から構成されている。第１〜４の面１１〜１４で囲まれた部分が光路１５となっている。そして、第１の面１１に前述したような多数の山と谷からなる略鋸歯形状を呈する複数個のギザギザ３、３、…が形成され、第３の面１３が輝いて見える輝面となっている。本実施の形態によると、一方の端部１６が入射端部となり、他端部１７は反射面となっているが、この他端部１７にも光源を配置できることは明らかである。
【００１８】
図６に、反射体２０が所定肉厚の円盤状を呈する第４の実施の形態が示されている。本実施の形態によると、第１の光源すなわち第１のＬＥＤと、第２のＬＥＤ’とが円周方向に９０°の間隔をおいて配置されるようになっている。したがって、反射体２０の裏面２１に形成されている、側面形状が略鋸歯形状を呈するギザギザ２５は、第１のＬＥＤから入射される光に略直角なギザギザと、第２のＬＥＤ’から入射される光に略直角なギザギザとが交差する形になっている。また、反射体２０の円周部は、光が外部へ逃げないように、反射材で覆われるようになっている。あるいは反射面が形成されている。第４の実施の形態によると、反射体２０の裏面２１に複数個のギザギザ２５が形成されているので、表面２３の全体が輝いて見えることになる。第４の実施の形態に係わる反射体２０も、アクリル樹脂からプレスにより前述したようにして形成されることは明らかである。
【００１９】
本発明は、上記実施の形態に限定されることなく、色々な形で実施できる。例えば、第２の実施の形態によると、反射体７は光源から遠ざかるにしたがい、順次縮経されて単位面積あたりの光量が一定に保たれ、そして外部へ導き出される光が軸方向に均一になるようになっているが、ギザギザを順次深くして、外部へ導き出される光が軸方向に均一になるように実施することもできる。
【００２０】
また、図５に示されている第３の実施の形態によると、第１の面１１のみにギザギザ３、３、…が形成されているが、その隣り合った第２の面１２にもギザギザを形成することもできる。このように実施すると、第４の面１４も輝いて見えるようになる。さらには、反射体は、５角柱以上の多角柱状の透明体から構成することもできる。このように多角注から構成するときは、その一面あるいは二、三面にギザギザが形成される。ギザギザが形成されている面の対面が輝いて見えるようになる。このように対面が輝いて見えるので、偶数の面からなる多角柱の反射体で実施するのが望ましい。
【００２１】
図６に示されている第４の実施の形態によると、反射体２０の肉厚部分が光路２４となっていることからも理解されるように、光路が確保される肉厚があれば、円盤状の透明体に代えて多角形の平板状の透明体でも同様にして実施できることは明らかである。
【００２２】
本実施の形態に係わる反射体の使用例が図７、８に示されている。すなわち、図７に浴湯の温度を表示する例が示されている。この表示装置は、複数個の上記したような反射体Ａ，Ｂ，Ｃと、制御装置ＣＯＮと、温度センサＳＥＮとからなっている。制御装置ＫＯＮは比較回路も備えている。したがって、温度センサＳＥＮで検出される湯の温度と、制御装置ＣＯＮに設定されている温度とを比較回路で比較し、その結果が選択された反射体Ａ，Ｂ，Ｃに点灯される。点灯されている反射体を見て、概略の浴湯の温度を知ることができる。
【００２３】
図８に、文字、図形等のみを表示するようにした実施の形態が示されている。本実施の形態によると、文字、図形２６等を切り抜いた、あるいは文字、図形２６等以外の部分を遮蔽した遮蔽体２７が反射体２０の表面２３上に配置される。第１、２のＬＥＤ、ＬＥＤ’を点灯すると、文字、図形２６が輝いて見える。
【００２４】
【実施例】
実施例１：市販のアクリル樹脂から反射体を製造した。このときの透明体は５ｍｍの角柱で長さが９０ｍｍであった。可動型の方に斜面の深さが０．４ｍｍ、斜面が成す角度が３０°の連続したギザギザを多数附けた。そして、固定金型の上に材料を載置し、可動型を３５トンの衝撃的な加重を加えプレスした。スプリングバックもなく、略型どおりのギザギザが成形された。光学的な歪みも認められなかった。
実施例２：同様に市販のアクリル樹脂から反射体を製造した。このときの透明体は実施例１と同じ５ｍｍの角柱で長さが５００ｍｍであった。可動型の方に斜面の深さが０．４ｍｍ、斜面が成す角度が３０°の連続したギザギザを多数附けた。そして、固定金型の上に材料を載置し、可動型を３５トンの衝撃的な加重を加えプレスした。実施例１と同様にスプリングバックもなく、略型どおりのギザギザが成形された。光学的な歪みも認められなかった。
実施例３：実施例１、２と同じ材料を使用し、可動型の方に斜面の深さが０．５ｍｍ、斜面が成す角度が４５°の連続したギザギザを多数附けた。そして、固定金型の上に材料を載置し、可動型を３５トンの衝撃的な加重を加えプレスした。実施例１と同様にスプリングバックもなく、略型どおりのギザギザが成形された。光学的な歪みも認められなかった。
【００２５】
実施例４：市販のアクリル樹脂から、図６に示されている円盤状の反射体２０を製造した。このときの材料の直径は３０ｍｍ、厚さは８ｍｍであった。可動型の方に斜面の深さが０．４ｍｍ、斜面が成す角度が３０°のギザギザを直各方向に多数連続して附けた。そして、固定金型の上に材料を載置し、可動型を３５トンの衝撃的な加重を加えプレスした。スプリングバックもなく、略型どおりのギザギザが成形された。光学的な歪みも認められなかった。
実施例５：可動型の方に斜面の深さが０．５ｍｍ、斜面が成す角度が４５°のギザギザを直各方向に多数連続して附けた金型を使用し、他は実施例４と同じ条件で反射体を得た。略型どおりのギザギザが成形された。光学的な歪みも認められなかった。
【００２６】
比較例１：実施例１と同じ材料を使用し、可動型の方に斜面の深さが１ｍｍ、斜面が成す角度が３０°のギザギザを多数連続して附けた金型を使用して、可動型を３５トンでプレスした。反射体にひびが生じ、目視によっても光学的に劣化していることが判明した。
比較例２：斜面が成す角度が４５°の金型を使用し、他の条件は比較例１と同じ条件で反射体を製造した。比較例１と同じように反射体にひびが生じ、目視によっても光学的に劣化していることが判明した。
比較例３：実施例１と同じ材料と同じ金型を使用して、可動型を最終的には実施例１と同じ３５トンに達するように徐々に荷重をかけた。スプリングバックの量が大きく、所望のギザギザは得られなかった。
【００２７】
以上の実施例１〜５および比較例１〜３から、同じプレス荷重でも斜面の深さが１ｍｍでは材料に割れが見られたが、アクリル樹脂の物理的性質により、単位面積あるいは単位体積当たりのプレス荷重と斜面の深さを適当に選定し、そして衝撃的にプレスすると、所望の品位の反射体が得られることが判明した。このとき、斜面が成す角度も光の反射率を考慮して３０〜４５°に選定できることも判明した。なお、材料を予め加温しておき、プレス後型から取り出す前に冷却すると、所望の品位の反射体が得られることが推量される。
【００２８】
実施例６：上記実施例１〜３で得た反射体の輝度を目視によりテストした。このとき、両端部に３０°の指向特性のＬＥＤランプを配置した。いずれの反射体もギザギザを付けた第１の面１１の対向の第３の面１３は、軸方向に一様に輝いて見えた。ギザギザを付けた第１の面１１も薄く輝いて見えた。これは、図２において点線で示されているような光が外部へ漏れたことに起因すると考えられる。第２の面１２および第４の面１４からは、光は見えなかった。
【００２９】
実施例７：実施例４、５で得た反射体２０の輝度を目視によりテストした。このとき、反射体２０をアルミニウムから形成した筒状の保持具に密着状態で挿入してテストした。反射体２０の外周部は、アルミニウム製の保持具により覆われ、反射面を構成していた。第１、２のＬＥＤ、ＬＥＤ’を同時に点灯した。いずれの反射体も表面２３は一様に輝いて見えた。第１のＬＥＤのみでも、略一様に輝いて見えたが、輝度はかなり落ちた。以上の実施例６、７から、ギザギザの傾斜角度、大きさ、数等を適当に選定すれば、所望の輝度の反射体が得られることが判明した。
【００３０】
【発明の効果】
以上のように、本発明によると、軸方向に光路が確保されている所定長さの透明な棒状体からなり、その端部から光線が入射されるようになっている反射体であって、前記棒状体の外周面の一部には、側面形状が略鋸歯形状を呈する斜面からなる複数個のギザギザが、軸方向にわたって、入射される光線を横切る方向に形成されているので、ギザギザが形成されていない外周面は、１個または２個という少ないの光源により棒状体の軸方向の全長にわたって、一様に輝くという本発明に特有の効果が得られる。また、他の発明によると、厚さ方向に光路が確保されている所定厚さの透明な板状体からなり、その円周方向に略９０°の間隔をおいた２カ所の側部から光線が入射されるようになっている反射体であって、前記板状体の一面には、側面形状が略鋸歯形状を呈する斜面からなる複数個のギザギザが、全面にわたって、入射される光線を横切る方向に形成されているので、２個の光源により板状体の他面の全面が均一に輝く効果が得られる。さらには、反射体が透明なアクリル樹脂からなり、そのギザギザはプレスにより形成されている発明によると、上記のような本発明に特有の効果を奏する反射体を安価に提供できる効果が得られる。
【図面の簡単な説明】
【図１】透明体中の光の進行状態を説明するための、透明体の模式的側面図である。
【図２】本発明の原理を示す透明体の模式的側面図である。
【図３】本発明の第１の実施の形態を模式的に示す側面図である。
【図４】本発明の第２の実施の形態を模式的に示す側面図である。
【図５】本発明の第３の実施の形態を模式的に示す斜視図である。
【図６】本発明の第４の実施の形態を模式的に示す側面図である。
【図７】本発明の実施の形態に係わる反射体の使用例を模式的に示す正面図である。
【図８】本発明の実施の形態に係わる反射体の他の使用例を模式的に示す斜視面図である。
【符号の説明】
１、７、１０、２０　　　　　　反射体
２、２’、２２、２２’　　　　　斜面
３、２５　　　　　　　　　　　ギザギザ
４、４’、１５、２４　　　　　　光路
【図１】
2004109391.tif 000003
【図２】
2004109391.tif 000004
【図３】
2004109391.tif 000005
【図４】
2004109391.tif 000006
【図５】
2004109391.tif 000007
【図６】
2004109391.tif 000008
【図７】
2004109391.tif 000009
【図８】
2004109391.tif 000010
【手続補正書】
【提出日】平成14年9月26日(2002.9.26)
【手続補正１】
【補正対象書類名】図面
【補正対象項目名】全図
【補正方法】変更
【補正の内容】
【図１】
2004109391.tif 000011
【図２】
2004109391.tif 000012
【図３】
2004109391.tif 000013
【図４】
2004109391.tif 000014
【図５】
2004109391.tif 000015
【図６】
2004109391.tif 000016
【図７】
2004109391.tif 000017
【図８】
2004109391.tif 000018